(57)【特許請求の範囲】
【請求項１】
刺繍機のヘッドに付設され、シークインを供給するシークイン供給装置において、
前記ヘッドの一側に着脱可能に固定されるベース部と、
前記ベース部の上端に備えられ、複数の連結体シークインをそれぞれ収納するシークインリール部と、
前記ベース部の下端に備えられ、一つの動力源によって、前記シークインリール部の中で選ばれたいずれか一つのシークインを所定ピッチで供給する供給部と、を含み、
前記供給部は、
前記ベース部の下端に固定されるボディ部と、
前記ボディ部に固定され、該当制御によって駆動軸を左右方向に選択的に回転させるモータ部と、
前記モータ部の駆動軸に固定され、左右方向への回転動力を伝達する揺動アームと、
前記ボディ部に回転可能に固定される第１補助軸と一体に構成され、前記揺動アームの動力によって第１シークインを所定ピッチずつ供給する第１アーム手段と、
前記ボディ部に回転可能に固定される第２補助軸と一体に構成され、前記揺動アームの動力によって第２シークインを所定ピッチずつ供給する第２アーム手段と、を含むことを特徴とする、刺繍機のシークイン供給装置。
【請求項２】
前記第１アーム手段は、
前記ボディ部に回転可能に固定される第１補助軸と、
前記第１補助軸に固定され、前記揺動アームの動力を受ける第１搖動レバーと、
前記第１補助軸に固定され、第１搖動レバーに印加された動力を伝達する第１下側レバーと、
前記第１下側レバーに回転可能に固定され、伝達された動力によって、第１シークインを所定ピッチずつ移動させる第１押し部材と、
前記第１押し部材を前記第１下側レバーに回転可能に固定する第１ピンと、を含むことを特徴とする、請求項１に記載の刺繍機のシークイン供給装置。
【請求項３】
前記第１補助軸に回転可能に固定され、ボディ部の第１固定部に一側端が固定され、第１搖動レバーに付勢力を印加する第１弾支部をさらに含むことを特徴とする、請求項２に記載の刺繍機のシークイン供給装置。
【請求項４】
前記第２アーム手段は、
前記ボディ部に回転可能に固定される第２補助軸と、
前記第２補助軸に固定され、前記揺動アームの動力を受ける第２搖動レバーと、
前記第２補助軸に固定され、第２搖動レバーに印加された動力を伝達する第２下側レバーと、
前記第２下側レバーに回転可能に固定され、伝達された動力によって、第２シークインを所定ピッチずつ移動させる第２押し部材と、
前記第２押し部材を前記第２下側レバーに回転可能に固定する第２ピンと、を含むことを特徴とする、請求項１に記載の刺繍機のシークイン供給装置。
【請求項５】
前記第２補助軸に回転可能に固定され、ボディ部の第２固定部に一側端が固定され、第２搖動レバーに付勢力を印加する第２弾支部をさらに含むことを特徴とする、請求項４に記載の刺繍機のシークイン供給装置。
【請求項６】
刺繍機のヘッドに固定される第１及び第２シークインの中で選ばれたいずれか一つを所定ピッチずつ供給する刺繍機において、
前記刺繍機制御部の制御によって、動力を発生し、駆動軸を左右方向に選択的に駆動して回転させるモータ部と、
前記モータ部を、駆動軸が突出した状態で、固定し、第１補助軸と第２補助軸を回転可能に固定し、第１弾支部と第２弾支部の一側端が固定される第１固定部及び第２固定部が備えられるボディ部と、
前記モータ部の駆動軸に固定され、左右方向に動力を伝達する揺動アームと、
前記ボディ部に回転可能に固定される第１補助軸と一体に構成され、前記揺動アームの駆動によって、第１シークインを所定ピッチずつ供給する第１アーム手段と、
前記ボディ部に回転可能に固定される第２補助軸と一体に構成され、前記揺動アームの駆動によって、第２シークインを所定ピッチずつ供給する第２アーム手段と、を含むこととを特徴とする、刺繍機。
【発明の詳細な説明】
【技術分野】
【０００１】
本発明は、刺繍機において、色相及び模様の異なる２種のシークイン（ｓｅｑｕｉｎ）を供給する装置に係り、より詳しくは一つの駆動モータによって、２種のシークインの中で選ばれたいずれか一つのシークインを供給する刺繍機のシークイン供給装置及び刺繍機に関するものである。
【背景技術】
【０００２】
このような刺繍機のうちで、シークインを利用して刺繍する装置をシークイン供給装置といい、シークインは、スパングル（ｓｐａｎｇｌｅ）ともいい、織物に縫着されるもので、多様な色相、サイズ、模様の装飾物を示す。シークイン装置は、刺繍機にオプションとして付設され、刺繍機の駆動状態によって同期状態で同時に駆動される。
【０００３】
シークイン供給装置は、一つの針で一つの色相、模様またはサイズのシークインを織物に縫着する構成であるので、織物に縫着されるシークインの色相、模様及びサイズ別にそれぞれ異なるシークイン供給装置を必要とする。
【０００４】
また、一般的な刺繍機を説明すれば、針に選択の色糸を通し、刺繍枠で織物を一定の形態に固定及び維持させ、ミシンの針が上下に運動している状態で刺繍枠を動かすことにより、織物上に色糸による所定の柄が刺繍される。このような刺繍枠は、パンチングされたデータによって駆動されるＸ軸及びＹ軸によって２次元平面上で移送自在になって、所望の柄が自動に刺繍される。
【０００５】
図１を参照して従来技術によるシークイン装置またはシークイン供給装置１０を説明すれば、刺繍機ヘッド部２０の一側面にベース部３０が固定され、該当制御信号によって、一体に備えられたモータが駆動されて供給部５０に動力を伝達し、動力を受けた供給部５０の駆動によって、シークインロール６０に一列に連結されて巻きつけられているシークインが供給され、供給部５０は、一体に構成された切断機能のメスによって、供給されるシークインを一つずつ切断し、織物上に切断されたシークインを供給する。未説明符号４０は刺繍機の針棒を駆動する動力を提供する主軸である。
【０００６】
かかる際、シークイン供給装置１０と同期状態で駆動され、前記主軸４０によって駆動される刺繍機ヘッド部２０の針棒の下端に付設された針２５は、縫糸または所望の色糸に供給されたシークインを織物上に縫着する。
【０００７】
従来技術のシークイン供給装置１０は、シークインロール６０から一種のシークインが供給されるので、模様、色相またはサイズの異なる多数のシークインでより派手な飾りを施そうとする場合、シークイン供給装置１０を入れ替るか、織物を、他種のシークインが供給されるシークイン供給装置１０が備えられた刺繍機に移動させ、織物のＸ及びＹ座標値を正確に一致させてシークインを刺繍しなければならない複雑で難しい問題があった。
【０００８】
このような従来技術の問題点を一部改善したもので、一つのシークイン供給装置において、２種の相異なるシークインを備えて選択的に供給するシークイン供給装置がある。
【０００９】
図２は、従来技術によるシークイン供給装置１００の一側面図、図３は、従来技術によるシークイン供給装置１００の他側面図である。
【００１０】
図２及び図３を参照して従来技術によるシークイン供給装置１００の構成を説明すれば、ベース部１１０の上側部に、第１シークインと第２シークインをそれぞれ供給するシークインリール部１２０が備えられる。ベース部１１０の中間部分には、第１シークインを供給するために動力を提供する第１モータ１３０と、第２シークインを供給するために動力を提供する第２モータ１４０とがそれぞれ備えられる。
【００１１】
ベース部１１０の下側部には、第１及び第２シークインを受けて一つずつ切断して提供する供給部１５０が備えられる。供給部１５０には、第１モータ１３０から動力を受けて第１シークインを一つずつ供給する第１アーム手段１６０と、第２モータ１４０から動力を受けて第２シークインを一つずつ供給する第２アーム手段１７０とが備えられる。
【００１２】
従来技術によるシークイン供給装置の構成を詳細に説明すれば、第１モータ１３０と第２モータ１４０は、刺繍機の制御部から印加される信号によって制御され、運転状態が監視される。
【００１３】
一例において、ミシンの運転者またはシークインを縫着するための該当の応用プログラムによって織物の指定位置に第１シークインを縫着しようとする場合、ミシンの制御部は、第１シークインを供給するために、第１モータ１３０を駆動するように制御し、第１モータ１３０は、制御部の制御によって駆動されて第１アーム手段１６０を動かし、第１アーム手段１６０は、供給された第１シークインを押したままで維持する。
【００１４】
第１アーム手段１６０は、第１シークインを押した状態で、前方に所定のピッチだけ押し出すので、第１シークインの所定数の長さの分だけ前進し、切断機能部の動作によって切断されて織物に供給される。かかる際、刺繍機の針が第１シークインを織物上に縫着する。
【００１５】
また、前記運転者または応用プログラムによって第２シークインを縫着しようとする場合、制御部は、第２モータ１４０に駆動制御信号を印加し、第２モータ１４０が駆動されて第２アーム手段１７０を動かし、第２アーム手段１７０は、第２シークインを押したままで前方に所定のピッチだけ押し出すので、第２シークインの所定数の長さの分だけ前進し、切断機能部の動作によって切断されて織物に供給される。かかる際、刺繍機の針が第２シークインを織物上に縫着する。
【００１６】
したがって、前記のような構成の従来技術は、制御部の制御によって第１モータ１３０と第２モータ１４０をそれぞれ駆動するので、第１シークインと第２シークインを選択的に供給する利点がある。
【００１７】
しかし、このような従来技術においては、第１モータ１３０及び第２モータ１４０が別々に必要であるので、シークイン装置の体積及び重さが増え、製造費用が高くかかる問題がある。
【００１８】
また、従来技術においては、動力提供機能部が第１モータと第２モータにそれぞれ区分されるので、障害発生の可能性が大きくなり、正常運転のための維持補修の時間及び費用が高くかかる問題がある。
【発明の開示】
【発明が解決しようとする課題】
【００１９】
本発明は前記のような問題点を解決するためになされたもので、刺繍機のシークイン供給装置において、一つのモータで選択のシークインを選択的に供給することにより、特に、一つの両方向制御モータで第１シークインと第２シークインを選択的に供給する刺繍機のシークイン供給装置を提供することにその目的がある。
【００２０】
また、一つの駆動モータで複数のシークインを選択的に供給することにより、シークイン供給装置のサイズ、体積及び製造原価を減らして生産時間を短縮させることができる刺繍機のシークイン供給装置を提供するという他の目的がある。
【００２１】
また、動力を提供する駆動モータを一つのみ使用して、消費電力を減らして運転費用を節減し、障害発生の要素が減少して維持補修の時間及び費用を節減する刺繍機のシークイン供給装置を提供することというさらに他の目的がある。
【課題を解決するための手段】
【００２２】
前記目的を達成するために、本発明は、刺繍機のヘッドに付設され、シークインを供給するシークイン供給装置において、前記ヘッドの一側に着脱可能に固定されるベース部と、前記ベース部の上端に備えられ、複数の連結体シークインをそれぞれ収納するシークインリール部と、前記ベース部の下端に備えられ、一つの動力源によって、前記シークインリール部の中で選ばれたいずれか一つのシークインを所定ピッチで供給する供給部と、を含み、前記供給部は、前記ベース部の下端に固定されるボディ部と、前記ボディ部に固定され、該当制御によって駆動軸を左右方向に選択的に回転させるモータ部と、前記モータ部の駆動軸に固定され、左右方向への回転動力を伝達する揺動アームと、前記ボディ部に回転可能に固定される第１補助軸と一体に構成され、前記揺動アームの動力によって第１シークインを所定ピッチずつ供給する第１アーム手段と、前記ボディ部に回転可能に固定される第２補助軸と一体に構成され、前記揺動アームの動力によって第２シークインを所定ピッチずつ供給する第２アーム手段と、を含む、刺繍機のシークイン供給装置を提供する。
【００２３】
また、前記目的を達成するために、本発明は、刺繍機のヘッドに固定される第１及び第２シークインの中で選ばれたいずれか一つを所定ピッチずつ供給する刺繍機において、前記刺繍機制御部の制御によって、動力を発生し、駆動軸を左右方向に選択的に駆動して回転させるモータ部と、前記モータ部を、駆動軸が突出した状態で、固定し、第１補助軸と第２補助軸を回転可能に固定し、第１弾支部と第２弾支部の一側端が固定される第１固定部及び第２固定部が備えられるボディ部と、前記モータ部の駆動軸に固定され、左右方向に動力を伝達する揺動アームと、前記ボディ部に回転可能に固定される第１補助軸と一体に構成され、前記揺動アームの駆動によって、第１シークインを所定ピッチずつ供給する第１アーム手段と、前記ボディ部に回転可能に固定される第２補助軸と一体に構成され、前記揺動アームの駆動によって、第２シークインを所定ピッチずつ供給する第２アーム手段と、を含むこととを特徴とする刺繍機を提供する。
【発明の効果】
【００２４】
前記のような構成の本発明は、刺繍機に２種以上備えられる複数のシークインの中で選ばれたいずれか一つのシークインを縫着するシークイン供給装置において、駆動モータを一つ使用するので、シークイン装置のサイズ、体積及び製造原価を減らし、生産時間を減らして競争力を高める産業上の利用効果がある。
【００２５】
また、シークイン供給装置において、動力を提供する駆動モータを一つだけ使用するので、消費電力が減少して運転及び維持費用が節減され、障害発生の要素が減るので、低い補修費用で迅速に補修することができる使用上の有効な効果がある。
【００２６】
また、シークイン供給装置において、一つの駆動モータを使用するので、サイズ及び体積を減らす小型の低価型に生産することができるので、使用者の選好度が高くなる使用上の有効な効果がある。
【発明を実施するための最良の形態】
【００２７】
以下、本発明の一実施例による刺繍機のシークイン供給装置を添付図面に基づいて詳細に説明する。
【００２８】
本発明を説明する図面において、図４は、本発明の一実施例による刺繍機のシークイン供給装置構成状態を示す斜視図、図５は、本発明の一実施例によるシークイン供給装置の分解斜視図、図６は、本発明の一実施例によるシークイン供給装置の供給部動作状態を説明する図である。
【００２９】
本発明の一実施例の説明において、本発明に直接関係なく、よく知られている技術内容については図示及び説明を省略することにより、本発明の要旨を明らかに伝達する。
【００３０】
図４及び図５を参照すれば、本発明の一実施例による刺繍機のシークイン供給装置２００は、刺繍機のヘッドに付設され、シークインを供給するために、ヘッドの一側に固定されるベース部２２０と、複数の連結体シークインをそれぞれ収納するシークインリール部２１０と、選ばれたいずれか一つのシークインを所定ピッチで供給する供給部２３０と、を含む。
【００３１】
また、本発明の一実施例による刺繍機の構成を説明すれば、刺繍機のヘッドに固定される第１及び第２シークインの中で選ばれたいずれか一つを所定ピッチずつ供給する刺繍機において、制御によって動力を発生し、駆動軸を左右方向に選択的に駆動して回転させるモータ部３１０と、モータ部３１０を駆動軸が突出した状態で固定し、第１補助軸３２０と第２補助軸３３０を回転可能に固定し、第１弾支部３４０と第２弾支部３５０の一側端が固定される第１固定部３４５及び第２固定部３５５が備えられるボディ部３００と、モータ部３１０の駆動軸に固定され、左右方向に動力を伝達する揺動アーム３６０と、ボディ部３００に回転可能に固定される第１補助軸３２０と一体に構成され、揺動アーム３６０の駆動によって第１シークインを所定ピッチずつ供給する第１アーム手段３７０と、ボディ部３００に回転可能に固定される第２補助軸３３０と一体に構成され、揺動アーム３６０の駆動によって第２シークインを所定ピッチずつ供給する第２アーム手段３８０と、を含む。
【００３２】
また、モータ部３１０は、刺繍機制御部の制御によって、該当駆動軸３１５に一体に固定される揺動アーム３６０を左右方向のいずれか選択方向に回転させることを特徴とする。
【００３３】
また、第１アーム手段３７０は、ボディ部３００に回転可能に固定される第１補助軸３２０と、第１補助軸３２０に固定され、揺動アーム３６０の駆動力を受ける第１搖動レバー３７２と、第１補助軸３２０に固定され、第１搖動レバー３７２に印加された動力を伝達する第１下側レバー３７４と、第１下側レバー３７４に回転可能に固定され、伝達された動力によって第１シークインを所定ピッチずつ移動させる第１押し部材３７６と、第１押し部材３７６を第１下側レバー３７４に回転可能に固定する第１ピン３７８と、第１補助軸３２０に回転可能に固定され、ボディ部３００の第１固定部３４５に一側端が固定され、第１搖動レバー３７２に付勢力を印加する第１弾支部３４０と、を含むことを特徴とする。
【００３４】
また、第２アーム手段３８０は、ボディ部３００に回転可能に固定される第２補助軸３３０と、第２補助軸３３０に固定され、揺動アーム３６０の駆動力を受ける第２搖動レバー３８２と、第２補助軸３３０に固定され、第２搖動レバー３８２に印加された動力を伝達する第２下側レバー３８４と、第２下側レバー３８４に回転可能に固定され、伝達された動力によって第２シークインを所定ピッチずつ移動させる第２押し部材３８６と、第２押し部材３８６を第２下側レバー３８４に回転可能に固定する第２ピン３８８と、及び第２補助軸３３０に回転可能に固定され、ボディ部３００の第２固定部３５５に一側端が固定され、第２搖動レバー３８２に付勢力を印加する第２弾支部３５０と、を含むことを特徴とする。
【００３５】
前記ボディ部３００の下側には長孔が二つ形成され、第１ストッパ３４７と第２ストッパ３５７がそれぞれ挿入され、後側からネジで締結されて固定される。
【００３６】
以下、添付図面に基づいて、本発明の一実施例による刺繍機のシークイン供給装置を詳細に説明する。
【００３７】
このようなシークインロールを二つ備え、選ばれたシークインを織物に供給するためには、それぞれのシークインを所定ピッチずつ供給するように駆動するモータを二つ備えなければならないので、シークイン供給装置のサイズが大きく、価格が高くなり、障害発生要因が多くなり、維持補修費用及び時間が多く必要になるなどの問題があった。このような問題を解決するために、一つのモータで選ばれた一つのシークインを供給することが本発明の技術である。
【００３８】
図４の本発明によるシークインリール部２１０は、一列に連結された状態でそれぞれ巻き込まれている第１シークインと第２シークインを、それぞれの該当ロールと経路を提供する機能部などによって、第１アーム手段３７０と第２アーム手段３８０の下端部にそれぞれ供給する。すなわち、シークインリール部２１０が供給するそれぞれのシークインは、ベース部２２０に備えられたガイド装置が形成する経路に沿って、供給部２３０の第１アーム手段３７０と第２アーム手段３８０にそれぞれ供給される。
【００３９】
モータ部３１０は、刺繍機に備えられる制御部の制御と監視によって駆動されるもので、駆動軸３１５を右側方向に一定角度で回転させるとともに、左側方向に一定の角度で回転させる。モータ部３１０は、供給部２３０のボディ部３００に、ネジなどによって、駆動軸が突出した状態で一体に固定される。
【００４０】
図５を参照すれば、モータ部３１０がボディ部３００に一体に固定され、駆動軸３１５は、穿設されたホールを通して突出した構成状態が詳細に示されている。駆動軸３１５には、揺動アーム３６０が嵌合固定される。また、ボディ部３００の駆動軸３１５の左右側には、第１補助軸３２０と第２補助軸３３０がベアリングなどを介して回転可能に固定される。
【００４１】
ボディ部３００の第１補助軸３２０の側方には、第１固定部３４５が形成され、この第１固定部３４５は、第１弾支部３４０の一側端を固定し、第１弾支部３４０は、第１補助軸３２０に巻き付けられた状態で付勢力を第１搖動レバー３７２に印加することにより、第１搖動レバー３７２を下方に付勢する。第２補助軸３３０の側方には、第２固定部３５５が形成され、第２固定部３５５は、第２弾支部３５０の一側端を固定し、第２弾支部３５０は、第２補助軸３３０に巻き付けられた状態で付勢力を第２搖動レバー３８２に印加することにより、第２搖動レバー３８２を上方に付勢する。
【００４２】
第１補助軸３２０には、第１搖動レバー３７２が嵌合固定され、第１搖動レバー３７２は、第１弾支部３４０によって下方に付勢される。また、第１補助軸３２０には、第１下側レバー３７４が嵌合固定され、第１下側レバー３７４の端部には、第１ピン３７８によって、第１押し部材３７６が回転可能に固定される。第１下側レバー３７４と第１押し部材３７６と間には、図示しないスプリングが介在して、第１押し部材３７６を下方に付勢することにより、供給される第１シークインを押している状態になり、第１押し部材３７６は、第１ストッパ３４７によって停止されるので、第１弾支部３４０から印加される付勢力を制限する。
【００４３】
さらに、第２補助軸３３０には、第２搖動レバー３８２が嵌合固定され、第２搖動レバー３８２は、第２弾支部３５０によって上方に付勢力を受ける。また、第２補助軸３３０には、第２下側レバー３８４が嵌合固定され、第２下側レバー３８４の端部には、第２ピン３８８によって、第２押し部材３８６が回転可能に固定される。第２下側レバー３８４と第２押し部材３８６との間にも、図示しないスプリングが介在して、第２押し部材３８６を下方に付勢して、供給される第２シークインを押している状態になり、第２押し部材３８６は、第２ストッパ３５７によって停止されるので、第２弾支部３５０から印加される付勢力を制限する。
【００４４】
すなわち、第１弾支部３４０によって、第１補助軸３２０に固定される第１搖動レバー３７２を下方に弾支し、第１補助軸３２０に嵌合固定される第１下側レバー３７４は、右側方向に付勢されるので、第１押し部材３７６は、下部に押し付けられている第１シークインを図面の右側方向である前方に押し付けて、つまり、第１シークインを所定ピッチずつ前進移動させて固定させる状態になるとともに、第１ストッパ３４７によって、前方に押される範囲が制限される。第１ストッパ３４７は、Ｌ字形に折り曲げられた一部がボディ部３００に形成された長孔に挿入され、背面に形成されたネジ孔にネジが締結されることにより固定され、第１押し部材３７６がストップまたは停止する位置の調整、すなわちピッチを調整する必要がある場合は、長孔に沿って位置変更されて固定される。
【００４５】
また、第２弾支部３５０によって、第２補助軸３３０に固定される第２搖動レバー３８２を上方に弾支し、第２補助軸３３０に嵌合固定される第２下側レバー３８４は、右側方向に付勢されるので、第２押し部材３８６は、下部に押し付けられている第２シークインを図面の右側方向である前方に押し付けて、つまり、第２シークインを所定ピッチずつ前進移動させて固定させる状態になるとともに、第２ストッパ３５７によって、前方に押される範囲が制限される。第２ストッパ３５７は、ボディ部３００に形成された長孔に挿入され、背面に形成されたネジ孔にネジで締結されて固定され、第２押し部材３８６がストップまたは停止する位置、つまり、ピッチを調整する必要がある場合は、長孔に沿って位置変更されて固定される。
【００４６】
このような状態で、刺繍機の制御部から該当制御信号を受信したモータ部３１０が右側に回転する駆動力を発生するかまたは左側に回転する駆動力を発生する場合、モータ部３１０で発生する駆動力を外部に伝達する駆動軸３１５に嵌合固定される揺動アーム３６０は、第１搖動レバー３７２を右側に押し出すか、あるいは第２搖動レバー３８２を左側に押し出す。
【００４７】
まず、モータ部３１０の駆動によって、駆動軸３１５に固定された揺動アーム３６０が図面の右側方向に回転する場合、第１搖動レバー３７２は、右側に移動するが、第１下側レバー３７４は、左側に移動するので、第１押し部材３７６は、第１シークインの所定ピッチだけ後側に移動する。このような状態で、モータ部３１０の駆動が停止して揺動アーム３６０が元の位置に復帰する場合、第１弾支部３４０の弾力によって、第１搖動レバー３７２が図面の左側方向に移動し、第１下側レバー３７４は図面の右側方向に移動する。かかる際、第１下側レバー３７４の端部に回転可能に固定される第１押し部材３７６が、押し付けられている第１シークインを設定の所定ピッチだけ図面の右側方向に移動させて前方に供給する。かかる際、供給された第１シークインは、針棒に連動して駆動されるメス３９０によって、設定の所定数に切断されて、織物の指定されたＸ及びＹの位置に供給される。前記メス３９０の駆動及び作用の関係を図面に具体的に図示あるいは説明しないのは、本発明の主要機能部ではなく、説明を簡単にすることで、要部の混同が発生しないようにするためである。
【００４８】
次に、モータ部３１０の駆動によって、駆動軸３１５に固定された揺動アーム３６０が図面の左側方向に回転する場合を説明すれば、第２搖動レバー３８２は、左側に移動するが、第２下側レバー３８４は、右側に移動するので、第２押し部材３８６は、第２シークインの設定の所定ピッチだけ後側に移動し、このような状態で、モータ部３１０の駆動が停止して、揺動アーム３６０が元の位置に復帰すれば、第２弾支部３５０の弾力によって、第２搖動レバー３８２が図面の右側方向に移動し、第２下側レバー３８４も図面の右側方向に移動する。かかる際、第２下側レバー３８４の端部に回転可能に固定される第２押し部材３８６が押し付けられている第２シークインを設定の所定ピッチだけ図面の右側方向に移動させて前方に供給する。メス３９０によって、供給された第２シークインの設定数が切断されて、織物の指定されたＸ及びＹの位置に供給されることは同様である。前記メス３９０は針棒の駆動に連動して駆動される。
【００４９】
図６は、本発明の一実施例によるシークイン供給装置の供給部２３０動作状態を示すもので、これに基づいて詳細に説明すれば、待機状態においては、揺動アーム３６０が中間位置に固定されており、ミシン制御部の制御によってモータ部３１０が駆動され、揺動アーム３６０が第１アーム手段３７０を駆動する場合、第１押し部材３７６が図面の左側方向に移動し、揺動アーム３６０が中間位置に移動する場合、第１押し部材３７６が右側方向に移動しながら第１シークインを所定ピッチずつ供給する状態が順に示されている。また、モータ部３１０の駆動によって、揺動アーム３６０が第２アーム手段３８０を駆動する場合、第２押し部材３８６が図面の左側方向に移動し、揺動アーム３６０が中間位置に移動する場合、第２押し部材３８６が右側方向に移動しながら第２シークインを設定の所定ピッチずつ供給する状態が順に示されている。
【００５０】
前記のような構成の本発明は、刺繍機に第１及び第２シークインの２種の中で選ばれたいずれか一つを供給するシークイン供給装置２００において、動力を提供するモータ部３１０を一つだけ備え、モータの駆動方向を制御していずれか一つのシークインを選択する構成により、サイズ、体積及び製造費用を減らし、生産時間を減らすことで競争力を高め、駆動要素の数が減少するので、維持補修の時間及び費用が減るなどの利点がある。
【００５１】
以上、本発明を一実施例に基づいて説明したが、必ずこのような一実施例に限られるものではなく、本発明の技術思想を逸脱しない範囲内で多様に変形実施することができる。したがって、本明細書で開示した一実施例は、本発明の技術思想を限定するためではなく、説明のためのもので、このような一実施例によって本発明の技術思想の範囲が限定されるものではない。本発明の保護範囲は、特許請求の範囲によって定義されなければならなく、これと同等な範囲内にあるすべての技術思想は、本発明の権利範囲に含まれるものとして解釈されなければならない。
【産業上の利用可能性】
【００５２】
本発明は、一つの駆動モータによって、２種のシークインの中で選ばれたいずれか一つのシークインを供給する刺繍機のシークイン供給装置に適用可能である。
【図面の簡単な説明】
【００５３】
【図１】従来技術によるシークイン供給装置構成状態を示す概略図である。
【図２】従来技術によるシークイン供給装置の一側面図である。
【図３】従来技術によるシークイン供給装置の他側面図である。
【図４】本発明の一実施例による刺繍機のシークイン供給装置構成状態を示す斜視図である。
【図５】本発明の一実施例によるシークイン供給装置の分解斜視図である。
【図６】本発明の一実施例によるシークイン供給装置の供給部動作状態を示す動作図である。
【符号の説明】
【００５４】
２００    シークイン供給装置
２１０    シークインリール部
２２０    ベース部
２３０    供給部
３００    ボディ部
３１０    モータ部
３２０    第１補助軸
３３０    第２補助軸
３４０    第１弾支部
３４５    第１固定部
３５０    第２弾支部
３５５    第２固定部
３６０    揺動アーム
３７０    第１アーム手段
３７２    第１搖動レバー
３７４    第１下側レバー
３７６    第１押し部材
３７８    第１ピン
３８０    第２アーム手段
３８２    第２搖動レバー
３８４    第２下側レバー
３８６    第２押し部材
３８８    第２ピン
３９０    メス
【図１】
0004857318.tif 000002
【図２】
0004857318.tif 000003
【図３】
0004857318.tif 000004
【図４】
0004857318.tif 000005
【図５】
0004857318.tif 000006
【図６】
0004857318.tif 000007